【事件の表示】
　特願２０１１−５４０１０７「多層式電気部品及び多層式電気部品を備えた回路」拒絶査定不服審判事件〔平成２２年　６月１７日国際公開、ＷＯ２０１０／０６６８４８、平成２４年　５月２４日国内公表、特表２０１２−５１１８２０〕について、次のとおり審決する。
【結　論】
　本件審判の請求は、成り立たない。
【理　由】
１．手続の経緯 
　本願は、平成２１年１２月１０日（パリ条約に基づく優先権主張外国庁受理　平成２０年１２月１２日　ドイツ（ＤＥ））を国際出願日とする出願であって、平成２５年１０月３１日付け拒絶理由通知に対する応答時、平成２６年３月１１日付けで手続補正がなされたが、同年８月１３日付けで拒絶査定がなされ、これに対して、同年１２月１９日付けで拒絶査定不服審判の請求及び手続補正がなされたものである。 
 　 
２．平成２６年１２月１９日付けの手続補正についての補正却下の決定 
［補正却下の決定の結論］ 
　平成２６年１２月１９日付けの手続補正を却下する。 
［理　由］
２−１．補正の目的について
　平成２６年１２月１９日付けの手続補正（以下、「本件補正」という。）は、特許請求の範囲の請求項１について、
本件補正前には、 
「【請求項１】
　交互に積層された複数のセラミック層（２）と複数の電極層（３）とを備え、互いに対向する２つの端面（４，４’）及び互いに対向する２つの側面（５，５’）を有する単一の基体（１）と、
　複数の外部電極（６，６’）と、
　前記電極層（３）に配置された複数の内部電極（７，８，９，１０）とを備え、
　前記複数の内部電極（７，８，９，１０）が、少なくとも部分的に重なり合って重複領域を形成している多層式電気部品において、
　前記複数の内部電極（７，８，９，１０）のそれぞれは、前記外部電極（６，６’）に割り振られており、
　前記端面（４，４’）の一方から延びる少なくとも１つの第１の内部電極（７）が、前記端面（４，４’）の他方から延びる少なくとも１つの第２の内部電極（８）と重なり、
　前記側面（５，５’）の１つから延びる少なくとも１つの第３の内部電極（９，１０）が、前記第１の内部電極（７）及び前記第２の内部電極（８）に重なり、
　前記側面（５，５’）の１つから延びる第４の内部電極（９，１０）が、前記第１の内部電極（７）及び前記第２の内部電極（８）の１つと、少なくとも部分的に重なり、
　前記第３の内部電極（９，１０）及び前記第４の内部電極（９，１０）は、同一の電極層（３）に配置されている
　ことを特徴とする多層式電気部品。」
 とあったものを、 
「【請求項１】
　交互に積層された複数のセラミック層（２）と複数の電極層（３）とを備え、互いに対向する２つの端面（４，４’）及び互いに対向する２つの側面（５，５’）を有する単一の基体（１）と、
　複数の外部電極（６，６’）と、
　前記電極層（３）に配置された複数の内部電極（７，８，９，１０）とを備え、
　前記複数の内部電極（７，８，９，１０）が、少なくとも部分的に重なり合って重複領域を形成している多層式電気部品において、
　前記複数の内部電極（７，８，９，１０）のそれぞれは、前記外部電極（６，６’）に割り振られており、
　前記端面（４，４’）の一方から延びる少なくとも１つの第１の内部電極（７）が、前記端面（４，４’）の他方から延びる少なくとも１つの第２の内部電極（８）と重なり、
　前記側面（５，５’）の
一方
２つ
９
　前記側面（５，５’）の
他方
２つの
１０
）に
　前記
２つの
９）は
、
　
前記２つの第４の内部電極（１０）は、同一の電極層（３）に配置され
　
前記２つの第３の内部電極（９）と前記２つの第４の内部電極（１０）とは、異なる電極層（３）に配置されている
　ことを特徴とする多層式電気部品。」 
とする補正を含むものである。
　
　なお、補正前の請求項５，８，１４ないし１６については削除された。
 　 
　そこで、本件補正前の請求項１の記載と本件補正後の請求項１の記載とを対比してみると、上記補正は実質的に、
　ア．請求項１に記載された発明を特定するために必要な事項である「第３の内部電極」について、側面の「一方」から「２つ」延び、その２つが「同一の電極層に配置され」るものである旨の限定を付加し、
　イ．同じく請求項１に記載された発明を特定するために必要な事項である「第４の内部電極」について、側面の「他方」から「２つ」延び、その２つが「同一の電極層に配置され」るものである旨の限定を付加し、
　ウ．さらに、「前記第３の内部電極（９，１０）及び前記第４の内部電極（９，１０）は、
同一の
異なる
　上記「ウ．」については、補正前の「前記第３の内部電極（９，１０）及び前記第４の内部電極（９，１０）は、
同一の
　
　よって、本件補正は、特許法第１７条の２第５項の各号に掲げるいずれの事項を目的とするものにも該当しない。
 　 
２−２．独立特許要件についての予備的見解
　仮に、上記「ウ．」が２つの第３の内部電極（９）と２つの第４の内部電極（１０）の配置関係について限定したものであり、本件補正が、請求項の削除及び特許請求の範囲の減縮（いわゆる限定的減縮）を目的としたものと認められるとして、本件補正後の上記請求項１に記載された発明（以下、「本願補正発明」という。）が特許出願の際独立して特許を受けることができるものか（特許法第１７条の２第６項において準用する同法第１２６条第７項に規定する要件を満たすか）否かについても検討しておく。
（１）引用例　 
　新たに引用する特開２００３−４５７４１号公報（以下、「引用例」という。）には、「多端子型電子部品」について、図面とともに以下の各記載がある（下線は当審で付与した。）。 
　ア．「【請求項１】  ２つの異なる辺に引き出される
電極が形成された
シートを
複数枚積層
した
複数の前記積層ブロックを重ね合わせた多端子型電子部品
複数の前記積層ブロックの電極引き出し面の少なくとも１つが互いに異なる向きとなるようにした、多端子型電子部品。
【請求項２】  少なくとも１つの前記積層ブロックにおいて、
前記２種類のシートの少なくとも一方に複数の電極が形成されて１つの辺に引き出された
 　 
　イ．「【０００９】２つの異なる辺に引き出された電極を有する２種類のシートを交互に積層することによって、１つの積層ブロックが形成される。このとき、シートの積層枚数を調整することにより、積層ブロックに形成される素子の特性を調整することができる。
このようにして得られた積層ブロックを複数個重ね合わせることにより、複数の素子を含む多端子型電子部品が得られる。このような多端子型電子部品において、２種類のシートの少なくとも一方に２つ以上の電極を形成して１つの辺に引き出されてもよく、この場合、１つの積層ブロックに複数の素子を形成することができる
このような多端子型電子部品において、シートの材料として誘電体材料を用いれば、多端子型コンデンサとすることができ
 　 
　ウ．「【００２９】さらに、
図２１に示すように、４つの積層ブロック１２を積み重ねて図２２に示すように、外部電極２０ａ〜２０ｆを形成することができる。この場合、図２３に示すように、コンデンサのダブルブリッジ回路を得ることができる。このとき、図２１に示すように、各積層ブロック１２として、電極１６ａ，１６ｂ，１６ｃの引き出し方向の組み合わせが異なる積層ブロック１２が用いられる
【００３０】このように、
１つの誘電体シート１４上に複数の電極１６ｂ，１６ｃを形成することにより、１つの積層ブロック１２内に複数のコンデンサを形成することができる。そして、このような積層ブロック１２を重ね合わせることにより、複雑な回路を有する多端子型コンデンサ１０を得ることができる
 　 
　・上記引用例に記載の「多端子型電子部品」は、上記「ア．」の【請求項１】の記載事項によれば、電極が形成されたシートを複数枚積層した複数の積層ブロックを重ね合わせた多端子型電子部品に関し、
　上記「イ．」、「ウ．」の記載事項、及び図２３によれば、複数の素子（例えばコンデンサ）を含む多端子型電子部品に関するものである。
　・上記「イ．」、「ウ．」の記載事項によれば、多端子型電子部品において、誘電体シートを用いることにより多端子型コンデンサとすることができるものである。
　・上記「ア．」の【請求項２】、「イ．」、「ウ．」の記載事項、及び図２１によれば、２種類のシートの少なくとも一方に２つ以上の電極を形成して１つの辺に引き出すこともでき、１つの積層ブロックに複数の素子（コンデンサ）を形成することができる。
　・上記「ウ．」の記載事項、図２２によれば、多端子型コンデンサは、一対の対向しあう辺と、もう一対の対向しあう辺の４つの辺を有し、一対の対向しあう辺の一方には外部電極２０ａが形成され、他方には外部電極２０ｄが形成され、もう一対の対向しあう辺の一方には外部電極２０ｂと外部電極２０ｃが形成され、他方には外部電極２０ｅと外部電極２０ｆが形成されている。
　・上記「ウ．」の記載事項、図２１、図２２によれば、一対の対向しあう辺の一方に引き出されて外部電極２０ａに接続する１つの電極１６ａが、他方に引き出されて外部電極２０ｄに接続する１つの電極１６ａと部分的に重なり、
　１つの誘電体シート１４上に形成され、もう一対の対向しあう辺の一方に引き出されて外部電極２０ｂと外部電極２０ｃにそれぞれ接続する２つの電極１６ｂ，１６ｃが、電極１６ａと部分的に重なり、
　１つの誘電体シート１４上に形成され、もう一対の対向しあう辺の他方に引き出されて外部電極２０ｅと外部電極２０ｆにそれぞれ接続する２つの電極１６ｃ，１６ｂが、電極１６ａと部分的に重なり、
　外部電極２０ｂと外部電極２０ｃにそれぞれ接続する２つの電極１６ｂ，１６ｃと、外部電極２０ｅと外部電極２０ｆにそれぞれ接続する２つの電極１６ｃ，１６ｂとは、異なる誘電体シート１４上に形成されてなるものである。
　
　したがって、特に図２１〜２３に示される実施の形態に着目し、上記記載事項及び図面を総合勘案すると、引用例には、次の発明（以下、「引用発明」という。）が記載されている。 
「電極が形成された誘電体シートを複数枚積層した複数の積層ブロックを重ね合わせ、一対の対向しあう辺と、もう一対の対向しあう辺の４つの辺を有する、複数の素子（コンデンサ）を含む多端子型コンデンサであって、
　前記一対の対向しあう辺の一方には外部電極２０ａが形成され、他方には外部電極２０ｄが形成され、前記もう一対の対向しあう辺の一方には外部電極２０ｂと外部電極２０ｃが形成され、他方には外部電極２０ｅと外部電極２０ｆが形成され、
　前記一対の対向しあう辺の一方に引き出されて前記外部電極２０ａに接続する１つの電極１６ａが、他方に引き出されて前記外部電極２０ｄに接続する１つの電極１６ａと部分的に重なり、
　１つの誘電体シート上に形成され、前記もう一対の対向しあう辺の一方に引き出されて前記外部電極２０ｂと前記外部電極２０ｃにそれぞれ接続する２つの電極１６ｂ，１６ｃが、前記電極１６ａと部分的に重なり、
　１つの誘電体シート上に形成され、前記もう一対の対向しあう辺の他方に引き出されて前記外部電極２０ｅと前記外部電極２０ｆにそれぞれ接続する２つの電極１６ｃ，１６ｂが、前記電極１６ａと部分的に重なり、
　前記外部電極２０ｂと前記外部電極２０ｃにそれぞれ接続する前記２つの電極１６ｂ，１６ｃと、前記外部電極２０ｅと前記外部電極２０ｆにそれぞれ接続する前記２つの電極１６ｃ，１６ｂとは、異なる誘電体シート上に形成されている多端子型コンデンサ。」 
　
（２）対比・判断
　そこで、本願補正発明と引用発明とを対比すると、
　ア．引用発明における「電極」、「誘電体シート」は、それぞれ本願補正発明における、電極層に配置された「内部電極」、「セラミック層」に相当し、
　引用発明における「電極が形成された誘電体シートを複数枚積層した複数の積層ブロックを重ね合わせ、一対の対向しあう辺と、もう一対の対向しあう辺の４つの辺を有する、複数の素子（コンデンサ）を含む多端子型コンデンサであって」によれば、
 (a)引用発明においても、電極が形成された誘電体シートを複数枚積層するものであるから、交互に積層された複数の誘電体の層と複数の電極の層とを備えるといえ、
 (b)また、引用発明においても単一の基体を備えることは自明であり、引用発明における「一対の対向しあう辺」、「もう一対の対向しあう辺」が、それぞれ本願補正発明でいう「互いに対向する２つの端面」、「互いに対向する２つの側面」に相当するとみることができ、
　したがって、本願補正発明と引用発明とは、「交互に積層された複数のセラミック層と複数の電極層とを備え、互いに対向する２つの端面及び互いに対向する２つの側面を有する単一の基体と」を備え、「前記電極層に配置された複数の内部電極と」を備える点で一致する。
　
　イ．引用発明における「外部電極」は、本願補正発明における「外部電極」に相当し、
　引用発明における「前記一対の対向しあう辺の一方には外部電極２０ａが形成され、他方には外部電極２０ｄが形成され、前記もう一対の対向しあう辺の一方には外部電極２０ｂと外部電極２０ｃが形成され、他方には外部電極２０ｅと外部電極２０ｆが形成され」によれば、
　本願補正発明と引用発明とは、「複数の外部電極と」を備える点で一致することは明らかである。
　
　ウ．引用発明における「前記一対の対向しあう辺の一方に引き出されて前記外部電極２０ａに接続する１つの電極１６ａが、他方に引き出されて前記外部電極２０ｄに接続する１つの電極１６ａと部分的に重なり」によれば、
　引用発明における、一対の対向しあう辺の一方に引き出されて外部電極２０ａに接続する１つの「電極１６ａ」、他方に引き出されて外部電極２０ｄに接続する１つの「電極１６ａ」が、それぞれ本願補正発明でいう「第１の内部電極」、「第２の内部電極」に相当するとみることができ、
　本願補正発明と引用発明とは、「前記端面の一方から延びる少なくとも１つの第１の内部電極が、前記端面の他方から延びる少なくとも１つの第２の内部電極と重な」っている点で一致するといえる。
　
　エ．引用発明における「１つの誘電体シート上に形成され、前記もう一対の対向しあう辺の一方に引き出されて前記外部電極２０ｂと前記外部電極２０ｃにそれぞれ接続する２つの電極１６ｂ，１６ｃが、前記電極１６ａと部分的に重なり」によれば、
　引用発明における、もう一対の対向しあう辺の一方に引き出されて外部電極２０ｂと外部電極２０ｃにそれぞれ接続する「２つの電極１６ｂ，１６ｃ」が、本願補正発明でいう「２つの第３の内部電極」に相当するとみることができ、
　また、これら「２つの電極１６ｂ，１６ｃ」は、１つの誘電体シート上に形成されてなるものであるから、同一の電極の層に配置されるものであるといえ、
　本願補正発明と引用発明とは、「前記側面の一方から延びる２つの第３の内部電極が、前記第１の内部電極及び前記第２の内部電極に重なり」、「前記２つの第３の内部電極は、同一の電極層に配置され」ている点で一致するということができる。
　
　オ．引用発明における「１つの誘電体シート上に形成され、前記もう一対の対向しあう辺の他方に引き出されて前記外部電極２０ｅと前記外部電極２０ｆにそれぞれ接続する２つの電極１６ｃ，１６ｂが、前記電極１６ａと部分的に重なり」によれば、
　引用発明における、もう一対の対向しあう辺の他方に引き出されて外部電極２０ｅと外部電極２０ｆにそれぞれ接続する「２つの電極１６ｃ，１６ｂ」が、本願補正発明でいう「２つの第４の内部電極」に相当するとみることができ、
　また、これら「２つの電極１６ｃ，１６ｂ」は、１つの誘電体シート上に形成されてなるものであるから、同一の電極の層に配置されるものであるといえ
　本願補正発明と引用発明とは、「前記側面の他方から延びる２つの第４の内部電極が、前記第１の内部電極及び前記第２の内部電極に重なり」、「前記２つの第４の内部電極は、同一の電極層に配置され」ている点で一致するということができる。
　カ．引用発明における「前記外部電極２０ｂと前記外部電極２０ｃにそれぞれ接続する前記２つの電極１６ｂ，１６ｃと、前記外部電極２０ｅと前記外部電極２０ｆにそれぞれ接続する前記２つの電極１６ｃ，１６ｂとは、異なる誘電体シート上に形成されている・・」によれば、
　本願補正発明と引用発明とは、「前記２つの第３の内部電極と前記２つの第４の内部電極とは、異なる電極層に配置されている」点で一致する。
　キ．そして、上記「ウ．」〜「オ．」によれば、
　本願補正発明と引用発明とは、「前記複数の内部電極が、少なくとも部分的に重なり合って重複領域を形成している」点、及び「前記複数の内部電極のそれぞれは、前記外部電極に割り振られて」いる点で一致することも明らかである。
　ク．また、引用発明における「多端子型コンデンサ」は、電極が形成された複数の誘電体シートを複数枚積層してなるものであるから、本願補正発明でいう「多層式電気部品」に相当するといえる。
　
　よって、本願補正発明と引用発明とは、 
　「交互に積層された複数のセラミック層と複数の電極層とを備え、互いに対向する２つの端面及び互いに対向する２つの側面を有する単一の基体と、
　複数の外部電極と、
　前記電極層に配置された複数の内部電極とを備え、
　前記複数の内部電極が、少なくとも部分的に重なり合って重複領域を形成している多層式電気部品において、
　前記複数の内部電極のそれぞれは、前記外部電極に割り振られており、
　前記端面の一方から延びる少なくとも１つの第１の内部電極が、前記端面の他方から延びる少なくとも１つの第２の内部電極と重なり、
　前記側面の一方から延びる２つの第３の内部電極が、前記第１の内部電極及び前記第２の内部電極に重なり、
　前記側面の他方から延びる２つの第４の内部電極が、前記第１の内部電極及び前記第２の内部電極に重なり、
　前記２つの第３の内部電極は、同一の電極層に配置され、
　前記２つの第４の内部電極は、同一の電極層に配置され、
　前記２つの第３の内部電極と前記２つの第４の内部電極とは、異なる電極層に配置されている
　ことを特徴とする多層式電気部品。」 
 である点で一致し、相違するところがない。
　
（３）むすび
　以上のとおり、本願補正発明は、引用例に記載された発明であるから、特許法第２９条第１項第３号に該当し、特許出願の際独立して特許を受けることができないものである。 
２−３．本件補正についてのむすび 　 
　したがって、本件補正は、特許法第１７条の２第５項の規定に違反し、また仮に、本件補正が同法第１７条の２第５項第１号及び第２号に掲げる事項を目的とするものに該当すると認められるとしても同法第１７条の２第６項において準用する同法第１２６条第７項に規定する要件を満たさないものでもあるから、同法第１５９条第１項で読み替えて準用する同法第５３条第１項の規定により却下すべきものである。 
 　 
３．本願発明について 
　平成２６年１２月１９日付けの手続補正は上記のとおり却下されたので、本願の請求項１に係る発明（以下、「本願発明」という。）は、平成２６年３月１１日付け手続補正書の特許請求の範囲の請求項１に記載された、次のとおりのものである。 
「【請求項１】
　交互に積層された複数のセラミック層（２）と複数の電極層（３）とを備え、互いに対向する２つの端面（４，４’）及び互いに対向する２つの側面（５，５’）を有する単一の基体（１）と、
　複数の外部電極（６，６’）と、
　前記電極層（３）に配置された複数の内部電極（７，８，９，１０）とを備え、
　前記複数の内部電極（７，８，９，１０）が、少なくとも部分的に重なり合って重複領域を形成している多層式電気部品において、
　前記複数の内部電極（７，８，９，１０）のそれぞれは、前記外部電極（６，６’）に割り振られており、
　前記端面（４，４’）の一方から延びる少なくとも１つの第１の内部電極（７）が、前記端面（４，４’）の他方から延びる少なくとも１つの第２の内部電極（８）と重なり、
　前記側面（５，５’）の１つから延びる少なくとも１つの第３の内部電極（９，１０）が、前記第１の内部電極（７）及び前記第２の内部電極（８）に重なり、
　前記側面（５，５’）の１つから延びる第４の内部電極（９，１０）が、前記第１の内部電極（７）及び前記第２の内部電極（８）の１つと、少なくとも部分的に重なり、
　前記第３の内部電極（９，１０）及び前記第４の内部電極（９，１０）は、同一の電極層（３）に配置されている
　ことを特徴とする多層式電気部品。」 
 　 
（１）引用例’ 
　原査定の拒絶の理由で引用された特開２０００−４９０５８号公報（以下、「引用例’」という。）には、「積層電子部品の製造方法」について、図面とともに以下の各記載がある（下線は当審で付与した。）。 
　ア．「【請求項１】  
相対向する２つの主面と前記２つの主面間を連結する側面とを有する電子部品本体と、前記電子部品本体の前記側面上の異なる位置に形成された複数の端子電極とを備え、前記電子部品本体は、前記主面の延びる方向に延びかつ積層された複数の機能材料層と、前記複数の端子電極に電気的に接続されかつ複数の前記機能材料層間の特定の複数の界面に沿ってそれぞれ形成された３つ以上の内部導体とを備え、前記３つ以上の内部導体は、各々が３種類以上のパターンのいずれかをもって所定の順序で積層方向に整列している、そのような積層電子部品
複数の機能材料シートを用意する工程と、
前記機能材料シートの各々上に、互いに同じ形成態様をもって、前記３種類以上のパターンのすべての内部導体を与え得る導電膜を形成する工程と、
前記３種類以上のパターンの内部導体が前記所定の順序で積層方向に整列している前記電子部品本体が形成されるように、各前記機能材料シートを、その平面的位置を変えながら、積み重ね、それによって、積層された複数の前記機能材料シートを含むマザー積層体を得る工程と、
前記マザー積層体を所定のカット線に沿ってカットし、それによって、前記マザー積層体から少なくとも１つの前記電子部品本体を取り出す工程と、
前記内部導体に電気的に接続されるように、前記電子部品本体の前記側面上の異なる位置に前記複数の端子電極を形成する工程とを備える、積層電子部品の製造方法。
　　　　　　　・・・・・（中　略）・・・・・
【請求項８】  
前記電子部品本体に備える前記内部導体の積層方向に隣り合うものの各組は、互いに異なる種類のパターンを有しかつ前記機能材料層の特定のものを介して互いに対向することによって１つの機能素子を構成し
前記端子電極の数は、３以上であり
前記端子電極のうちの２個を１組とする各組の端子電極の間に各前記機能素子がそれぞれ取り出されるように、前記内部導体が前記端子電極に接続されている
【請求項９】  
前記機能材料層は誘電体層であり、前記機能素子はコンデンサ素子である
 　 
　イ．「【００２６】
積層電子部品１０は、図３に示すように、相対向する２つの主面１６および１７とこれら２つの主面１６および１７間を連結する４つの側面１８、１９、２０および２１とを有する電子部品本体２２と、電子部品本体２２の側面１８〜２１の各々上に１個ずつ分布するように形成された４個の端子電極ＴＥ１〜ＴＥ４とを備えている
【００２７】上述の
電子部品本体２２は、図４に示すように、主面１６および１７の延びる方向に延びかつ積層された、たとえばセラミック誘電体からなる複数の機能材料層１１〜１５を備えるとともに、これら機能材料層１１〜１５上に、すなわち機能材料層１１〜１５を含む複数の機能材料層間の特定の界面に沿って、それぞれ形成された内部導体２３〜２７を備えている
【００２８】内部導体２３〜２７は、図２に示したコンデンサ素子Ｃ１〜Ｃ４を与えるように、図４に示した順序で積層方向に整列しながら、積層方向に隣り合うものは、機能材料層１１〜１５を含む複数の機能材料層のうちの特定のものを介して互いに対向する状態となっている。なお、通常の場合、図４において上端に位置する内部導体２３を覆うように、さらに機能材料層が設けられる。
【００２９】
図４を図３とともに参照すればわかるように、内部導体２３および２７は端子電極ＴＥ１に接続され、内部導体２４は端子電極ＴＥ２に接続され、内部導体２５は端子電極ＴＥ３に接続され、内部導体２６は端子電極ＴＥ４に接続されている
【００３０】したがって、
内部導体２３および２４の対向によってコンデンサ素子Ｃ１が形成され
内部導体２４および２５の対向によってコンデンサ素子Ｃ２が形成され
内部導体２５および２６の対向によってコンデンサ素子Ｃ３が形成され
内部導体２６および２７の対向によってコンデンサ素子Ｃ４が形成され
【００３１】このようにして、
積層電子部品１０は、図２に示すように、４個のコンデンサ素子Ｃ１〜Ｃ４がブリッジ回路の形に結線された等価回路を実現する
【００３２】このワンチップ状態にある積層電子部品１０は、図１に示した端子Ｔ１〜Ｔ４にそれぞれ対応する端子電極ＴＥ１〜ＴＥ４を備えているので、端子電極ＴＥ１〜ＴＥ４をそれぞれ端子Ｔ１〜Ｔ４に接続するように実装すれば、図１において破線で示すように、ダイオードＤ１〜Ｄ４の各々にコンデンサ素子Ｃ１〜Ｃ４の各々が並列接続された状態が得られる。
【００３３】
図４に示すように、内部導体２３〜２７は、４種類のパターンＡ〜Ｄのいずれかをもって形成されている。すなわち、内部導体２３および２７は、パターンＡをもって形成され、内部導体２４は、パターンＢをもって形成され、内部導体２５は、パターンＣをもって形成され、内部導体２６は、パターンＤをもって形成されている
 　 
　ウ．「【０１０３】たとえば、
積層電子部品において、形成される内部導体の数、パターンおよび接続態様、ならびに端子電極の数および位置等については、適宜変更することができる
 　 
　・上記引用例’に記載の「積層電子部品の製造方法」によって製造される積層電子部品は、上記「ア．」の【請求項１】の記載事項によれば、相対向する２つの主面と前記２つの主面間を連結する側面とを有する電子部品本体と、前記電子部品本体の前記側面上の異なる位置に形成された複数の端子電極とを備え、前記電子部品本体は、前記主面の延びる方向に延びかつ積層された複数の機能材料層と、前記複数の端子電極に電気的に接続されかつ複数の前記機能材料層間の特定の複数の界面に沿ってそれぞれ形成された３つ以上の内部導体とを備え、前記３つ以上の内部導体は、各々が３種類以上のパターンのいずれかをもって所定の順序で積層方向に整列している積層電子部品である。
　・上記「ア．」の【請求項８】〜【請求項９】、「イ．」の記載事項、及び図２によれば、機能材料層はたとえばセラミック誘電体層であり、積層電子部品は、複数の機能素子（コンデンサ素子）を構成してなるものである。
　・上記「イ．」の記載事項、及び図３、図４によれば、電子部品本体２２の４つの側面１８〜２１の各々上に形成された４個の端子電極ＴＥ１〜ＴＥ４を備えている。
　・対向する一対の側面１８，２０の一方に形成された端子電極ＴＥ１に接続するようにパターンＡをもって形成された内部導体２３は、他方に形成された端子電極ＴＥ３に接続するようにパターンＣをもって形成された内部導体２５と部分的に重なり、
　対向するもう一対の側面１９，２１の一方に形成された端子電極ＴＥ２に接続するようにパターンＢをもって形成された内部導体２４は、内部導体２３や内部導体２５と部分的に重なり、
　対向するもう一対の側面１９，２１の他方に形成された端子電極ＴＥ４に接続するようにパターンＤをもって形成された内部導体２６は、内部導体２３や内部導体２５と部分的に重なっている。
　
　したがって、製造される積層電子部品であって、特に図２〜４に示されるものに着目し、上記記載事項及び図面を総合勘案すると、引用例’には、次の発明（以下、「引用発明’」という。）が記載されている。 
「相対向する２つの主面と当該２つの主面間を連結する４つの側面１８〜２１とを有する電子部品本体と、
　前記電子部品本体の前記４つの側面１８〜２１の各々上にそれぞれ形成された４個の端子電極と、
　前記電子部品本体は、前記主面の延びる方向に延びかつ積層された複数のセラミック誘電体層と、当該セラミック誘電体層間の界面に沿ってそれぞれ形成された複数の内部導体とを備えた、複数の機能素子（コンデンサ素子）を構成してなる積層電子部品であって、
　対向する一対の側面１８，２０の一方に形成された端子電極ＴＥ１に接続するようにパターンＡをもって形成された内部導体２３が、他方に形成された端子電極ＴＥ３に接続するようにパターンＣをもって形成された内部導体２５と部分的に重なり、
　対向するもう一対の側面１９，２１の一方に形成された端子電極ＴＥ２に接続するようにパターンＢをもって形成された内部導体２４が、前記内部導体２３や前記内部導体２５と部分的に重なり、
　対向するもう一対の側面１９，２１の他方に形成された端子電極ＴＥ４に接続するようにパターンＤをもって形成された内部導体２６が、前記内部導体２３や前記内部導体２５と部分的に重なっている積層電子部品。」 
 　 
（２）対比 
　そこで、本願発明と引用発明’とを対比すると、
　ア．引用発明’における「電子部品本体」、「端子電極」、「セラミック誘電体層」、「内部導体」が、それぞれ本願発明における「基体」、「外部電極」、「セラミック層」、「内部電極」に相当し、
　引用発明’における「相対向する２つの主面と当該２つの主面間を連結する４つの側面１８〜２１とを有する電子部品本体と、前記電子部品本体の前記４つの側面１８〜２１の各々上にそれぞれ形成された４個の端子電極と、前記電子部品本体は、前記主面の延びる方向に延びかつ積層された複数のセラミック誘電体層と、当該セラミック誘電体層間の界面に沿ってそれぞれ形成された複数の内部導体とを備えた、複数の機能素子（コンデンサ素子）を構成してなる積層電子部品であって」によれば、
 (a)引用発明’においても、積層された複数のセラミック誘電体層と、当該セラミック誘電体層間の界面に沿ってそれぞれ形成された複数の内部導体とを備えるものであるから、交互に積層された複数のセラミック誘電体層と複数の内部導体の層とを備えるといえ、
 (b)また、引用発明’における「４つの側面１８〜２１」が、本願発明でいう「互いに対向する２つの端面」及び「互いに対向する２つの側面」に相当するといえ、
　本願発明と引用発明’とは、「交互に積層された複数のセラミック層と複数の電極層とを備え、互いに対向する２つの端面及び互いに対向する２つの側面を有する単一の基体と、複数の外部電極と、前記電極層に配置された複数の内部電極と」を備えるものである点で一致する。
　
　イ．引用発明’における「対向する一対の側面１８，２０の一方に形成された端子電極ＴＥ１に接続するようにパターンＡをもって形成された内部導体２３が、他方に形成された端子電極ＴＥ３に接続するようにパターンＣをもって形成された内部導体２５と部分的に重なり」によれば、
　引用発明’における、対向する一対の側面１８，２０の一方に形成された端子電極ＴＥ１に接続するようにパターンＡをもって形成された「内部導体２３」、他方に形成された端子電極ＴＥ３に接続するようにパターンＣをもって形成された「内部導体２５」が、それぞれ本願発明でいう「第１の内部電極」、「第２の内部電極」に相当するとみることができ、
　本願発明と引用発明’とは、「前記端面の一方から延びる少なくとも１つの第１の内部電極が、前記端面の他方から延びる少なくとも１つの第２の内部電極と重な」っている点で一致するといえる。
　
　ウ．引用発明’における「対向するもう一対の側面１９，２１の一方に形成された端子電極ＴＥ２に接続するようにパターンＢをもって形成された内部導体２４が、前記内部導体２３や前記内部導体２５と部分的に重なり」によれば、
　引用発明’における、対向するもう一対の側面１９，２１の一方に形成された端子電極ＴＥ２に接続するようにパターンＢをもって形成された「内部導体２４」が、本願発明でいう「第３の内部電極」に相当するとみることができ、
　本願発明と引用発明’とは、「前記側面の１つから延びる少なくとも１つの第３の内部電極が、前記第１の内部電極及び前記第２の内部電極に重な」っている点で一致するといえる。
　
　エ．引用発明’における「対向するもう一対の側面１９，２１の他方に形成された端子電極ＴＥ４に接続するようにパターンＤをもって形成された内部導体２６が、前記内部導体２３や前記内部導体２５と部分的に重なっている・・」によれば、
　引用発明’における、対向するもう一対の側面１９，２１の他方に形成された端子電極ＴＥ４に接続するようにパターンＤをもって形成された「内部導体２６」が、本願発明でいう「第４の内部電極」に相当するとみることができ、
　本願発明と引用発明’とは、「前記側面の１つから延びる第４の内部電極が、前記第１の内部電極及び前記第２の内部電極の１つと、少なくとも部分的に重な」っている点で一致するといえる。
　
　オ．そして、上記「イ．」〜「エ．」によれば、
　本願発明と引用発明’とは、「前記複数の内部電極が、少なくとも部分的に重なり合って重複領域を形成している」点、及び「前記複数の内部電極のそれぞれは、前記外部電極に割り振られて」いる点で一致することも明らかである。
　
　カ．また、引用発明’における「積層電子部品」は、本願発明でいう「多層式電気部品」に相当するものである。
　
　よって、本願発明と引用発明’とは、 
　「交互に積層された複数のセラミック層と複数の電極層とを備え、互いに対向する２つの端面及び互いに対向する２つの側面を有する単一の基体と、
　複数の外部電極と、
　前記電極層に配置された複数の内部電極とを備え、
　前記複数の内部電極が、少なくとも部分的に重なり合って重複領域を形成している多層式電気部品において、
　前記複数の内部電極のそれぞれは、前記外部電極に割り振られており、
　前記端面の一方から延びる少なくとも１つの第１の内部電極が、前記端面の他方から延びる少なくとも１つの第２の内部電極と重なり、
　前記側面の１つから延びる少なくとも１つの第３の内部電極が、前記第１の内部電極及び前記第２の内部電極に重なり、
　前記側面の１つから延びる第４の内部電極が、前記第１の内部電極及び前記第２の内部電極の１つと、少なくとも部分的に重なる
　ことを特徴とする多層式電気部品。」 
 である点で一致し、以下の点で相違する。 
［相違点］ 
　第３の内部電極及び第４の内部電極について、本願発明では、「同一の電極層に配置されている」旨特定するのに対し、引用発明’では、そのような特定を有していない点。
  
（３）判断 
　上記相違点について検討する。
　引用例’には段落【０１０３】に「形成される内部導体の数、パターンおよび接続態様、ならびに端子電極の数および位置等については、適宜変更することができる」と記載（上記「（１）ウ．」を参照）されているところ、例えば原査定において提示した特開２００８−２５１９５７号公報（特に段落【００２０】〜【００２２】、【００２８】〜【００２９】、【００３２】〜【００３３】、図１、図２、図５、図６を参照）の「第１の内部電極２１，２２，２７と第２の内部電極３１，３２，３７」、さらには特開２００３−４５７４１号公報（特に【請求項２】、段落【０００９】、【００２９】〜【００３０】、図２１、図２２を参照）の「電極１６ｂと電極１６ｃ」、特開２００４−１０３８８３号公報（特に【請求項１】〜【請求項２】、段落【００２５】、【００２８】、【００３５】〜【００３６】、図１を参照）の「分割導体２１，２３，２５と分割導体２２，２４，２６」に見られるように、１つの誘電体層上に形成される内部電極を２以上の内部電極に分割して同一の電極層に配置するとともに、外部電極についても分割された各内部電極に対応して設けることにより、電子部品内に構成される機能素子（コンデンサ素子）の数を増やすようにすることは周知の技術事項であり、引用発明’においても、かかる周知の技術事項を採用し、内部導体２４と内部導体２６とを同一のセラミック誘電体層上に形成するようにするか、あるいは内部導体２４や内部導体２６を分割して形成する（この場合、分割した少なくとも１つが本願発明でいう「第３の内部電極」に相当し、他のものが本願発明でいう「第４の内部電極」に相当するとみることになる）ことによって上記相違点に係る構成とすることは当業者であれば容易になし得ることである。
 
　そして、本願発明が奏する効果についてみても、引用発明’及び周知の技術事項から当業者が十分に予測できたものであって、格別顕著なものがあるとはいえない。 
 　 
（４）むすび 
　以上のとおり、本願請求項１に係る発明は、特許法第２９条第２項の規定により特許を受けることができないものであるから、その余の請求項について論及するまでもなく、本願は拒絶すべきものである。 
　よって、結論のとおり審決する。